(57)【特許請求の範囲】
【請求項１】
ランプ本体(2)内部に、前方を照射する電球(7)を収容配設する電球収容部(2')と、同電球収容部(2')の奥部に端子保持壁(2e)を形成した端子収容部(2a)とを設け、前記端子保持壁(2e)に、前記電球(7)と電気的に接続する端子(3),(4)と、同端子(3),(4)を覆い、かつ、端子保持壁(2e)に同端子(3),(4)を押圧する板状の端子押さえ(1)とを着脱自在に取付けたヘッドランプにおいて、
前記端子押さえ(1)に切欠部(1f)を形成するとともに、ランプ本体(2)に回路切換用の操作スイッチ(S)を設け、同操作スイッチ(S)と前記端子(3),(4)との電気的な接続を行う接続部を、前記切欠部(1f)に位置させたことを特徴とするヘッドランプ。
【請求項２】
前記端子押さえ(1)に電球(7)を保持する電球保持部(1b)を一体的に突設する一方、前記端子(3),(4) の一部を前記端子保持壁(2e)より前方に突出し、前記電球保持部(1b)の先端により形成される第一の仮想垂直面(S1)を、前記端子(3),(4)の突出端部により形成される第二の仮想垂直面(S2)よりも前方に位置させたことを特徴とする請求項１記載のヘッドランプ。
【請求項３】
前記電球収容部(2')を、中途から前方に向けて漸次拡径した円筒状に形成し、同拡径始点部により形成される第三の仮想垂直面(S3)を前記第二の仮想垂直面(S2)よりも前方に位置させたことを特徴とする請求項２に記載のヘッドランプ。
【請求項４】
前記電球(7)の径方向の最大膨出部により形成される第四の仮想垂直面(S4)を前記第三の仮想垂直面(S3)よりも前方に位置させたことを特徴とする請求項３に記載のヘッドランプ。
【請求項５】
電池を収容配設する電池収容部(2d)を形成したランプ本体(2)と、同ランプ本体(2)をヒンジ部(2h)を介して前後傾斜角度調整自在に枢支するとともに、使用者の頭部に当接可能に形成したベルトホルダー(20)とから構成し、前記ヒンジ部(2h)よりも後方に、前記電池収容部(2d)を配置したことを特徴とする請求項１〜請求項５のいずれかに記載のヘッドランプ。
【請求項６】
回路切換用の操作スイッチ(S)を設けたランプ本体(2)と、同ランプ本体(2)をヒンジ部(2h)を介して前後傾斜角度調整自在に枢支するとともに、使用者の頭部に当接可能に形成したベルトホルダー(20)とから構成し、同操作スイッチ(S)を前記ヒンジ部(2h)の直上方に配設したたことを特徴とする請求項１〜請求項５のいずれかに記載のヘッドランプ。
【発明の詳細な説明】
【０００１】
【発明の属する技術分野】
この発明は、頭部に装着して使用するヘッドランプに関するものである。
【０００２】
【従来の技術】
従来、頭部に装着自在に構成したヘッドランプの一形態として、前方を照射する電球を収容配設する電球収容部を形成したランプ本体と、同ランプ本体を、ヒンジ部を介して前後傾斜角度調整自在に枢支するとともに、使用者の頭部に当接可能に形成したベルトホルダーとから構成したものがある。
【０００３】
また、ランプ本体内には、電球と電気的に接続する端子を配設しており、同端子を配設するに際しては、端子を電球収容部の前側開口部から挿入し、前記電球収容部の奥部に形成した壁体にカシメにより固着するようにしていた。
【０００４】
【発明が解決しようとする課題】
しかしながら、上記したように、従来のヘッドランプにあっては、ランプ本体の前側開口部から端子を挿入し、電球収容部の奥部に形成した壁体に固着しているため、端子が電球収容部内に露出していた。
【０００５】
したがって、電球を交換する際等に、端子に不用意に触れたりすると、薄板状の端子の縁部によりケガをしたり、端子に触れた際の静電気によりヘッドランプ内の電気部品が故障してしまうおそれがあった。
【０００６】
また、露出している端子にゴミ等が付着して、接触不良となってしまうおそれもあった。
【０００７】
しかも、上記したように、端子は固着されているので、ランプ本体からは容易に取り外すことができず、端子を一旦ランプ本体に取付けた後は、端子交換の必要が生じても容易に交換できないという問題点があった。
【０００８】
また、通常、ランプ本体とベルトホルダーとを連結するヒンジ部は、ランプ本体の後部に配設されているので、ランプ本体が前方に回転する力がヒンジ部にかかり、所望の傾斜角度で保持できずに、ランプ本体が前方下向きに傾いてしまうことがしばしば生じていた。
【０００９】
【課題を解決するための手段】
上記問題点を解決するために、本発明は、ランプ本体内部に、前方を照射する電球を収容配設する電球収容部と、同電球収容部の奥部に端子保持壁を形成した端子収容部とを設け、前記端子保持壁に、前記電球と電気的に接続する端子と、同端子を覆い、かつ、端子保持壁に同端子を押圧する板状の端子押さえとを着脱自在に取付けたヘッドランプにおいて、前記端子押さえに切欠部を形成するとともに、ランプ本体に回路切換用の操作スイッチを設け、同操作スイッチと前記端子との電気的な接続を行う接続部を、前記切欠部に位置させた。
【００１１】
しかも、前記端子押さえに電球を保持する電球保持部を一体的に突設する一方、前記端子の一部を前記端子保持壁より前方に突出し、前記電球保持部の先端により形成される第一の仮想垂直面を、前記端子の突出端部により形成される第二の仮想垂直面よりも前方に位置させることとしている。
【００１２】
そして、前記電球収容部を、中途から前方に向けて漸次拡径した円筒状に形成し、同拡径始点部により形成される第三の仮想垂直面を前記第二の仮想垂直面よりも前方に位置させることもできる。
【００１３】
さらに、前記電球の径方向の最大膨出部により形成される第四の仮想垂直面を前記第三の仮想垂直面よりも前方に位置させることもできる。
【００１４】
また、ヘッドランプを、電池を収容配設する電池収容部を形成したランプ本体と、同ランプ本体をヒンジ部を介して前後傾斜角度調整自在に枢支するとともに、使用者の頭部に当接可能に形成したベルトホルダーとから構成した場合には、前記ヒンジ部よりも後方に、前記電池収容部を配置することとしている。
【００１５】
さらに、ヘッドランプを、回路切換用の操作スイッチを設けたランプ本体と、同ランプ本体をヒンジ部を介して前後傾斜角度調整自在に枢支するとともに、使用者の頭部に当接可能に形成したベルトホルダーとから構成し、同操作スイッチを前記ヒンジ部の直上方に配設したものである。
【００１６】
【発明の実施の形態】
本実施形態に係るヘッドランプは、ランプ本体内部に、前方を照射する電球を収容配設する電球収容部と、同電球収容部の奥部に端子保持壁を形成した端子収容部とを設け、前記端子保持壁に、前記電球と電気的に接続する端子と、同端子を覆い、かつ、端子保持壁に同端子を押圧する板状の端子押さえとをビス等により着脱自在に取付けている。
【００１７】
そのため、電球を交換する際に、指が端子に不用意に触れてしまうのを防止でき、安全性に優れるとともに、端子板にゴミ等が付着してしまうのを防止でき、接触不良等の不具合が生じることを防止できるようにしたものである。
【００１８】
また、例えば端子交換が必要な場合においても、端子の取り外しが容易なのでメンテナンス性を向上させたものである。
【００１９】
特に、前記端子押さえに切欠部を形成するとともに、ランプ本体に回路切換用の操作スイッチを設け、同操作スイッチと前記端子との電気的な接続を行う接続部を、前記切欠部に位置させ、同接続部をランプ本体前方より視認可能とし、同接続部の接触不良や操作スイッチの動作不良等を確認できるようにしたものである。
【００２０】
しかも、前記端子押さえに電球を保持する電球保持部を一体的に突設する一方、前記端子の一部を前記端子保持壁より前方に突出し、前記電球保持部の先端により形成される第一の仮想垂直面を、前記端子の突出端部により形成される第二の仮想垂直面よりも前方すなわちレンズ側に位置させ、電球交換時等に端子に指が接触しないようにしたものである。
【００２１】
そして、前記電球収容部を、中途から前方に向けて漸次拡径した円筒状に形成し、同拡径始点部により形成される第三の仮想垂直面を前記第二の仮想垂直面よりも前方に位置させ、ヘッドランプの外観を良好なものとするとともに、電球交換時等に端子に指が接触しないようにしたものである。
【００２２】
さらに、電球交換時に指によって挟持される電球の径方向の最大膨出部により形成される第四の仮想垂直面を前記第三の仮想垂直面よりも前方に位置させ、電球交換時に容易に電球を取り外せるようにしたものである。
【００２３】
また、ヘッドランプを、電池を収容配設する電池収容部を形成したランプ本体と、同ランプ本体をヒンジ部を介して前後傾斜角度調整自在に枢支するとともに、使用者の頭部に当接可能に形成したベルトホルダーとから構成し、前記ヒンジ部よりも後方に、比較的重量の重い電池収容部を配置し、ランプ本体が前方に傾斜しないようにしたものである。
【００２４】
さらに、ヘッドランプを、回路切換用の操作スイッチを設けたランプ本体と、同ランプ本体をヒンジ部を介して前後傾斜角度調整自在に枢支するとともに、使用者の頭部に当接可能に形成したベルトホルダーとから構成し、同操作スイッチと前記ヒンジ部との水平間距離を可及的に近接させ、操作スイッチを操作する際に、ランプ本体が前方に傾斜しないようにしたものである。
【００２５】
【実施例】
以下、添付図面を参照しながら本発明の実施例について詳述する。
【００２６】
図１に本発明に係るヘッドランプＡの使用状態を示しており、ヘッドランプＡは、前方を照射する際に、頭部に装着して使用できるように構成されている。
【００２７】
したがって、暗い場所において作業する場合、使用者は手で懐中電灯等を持つ必要がなくなり、両手を自由に使うことができるので、効率良く作業を行うことができる。
【００２８】
以下、かかるヘッドランプＡの構成について具体的に説明する。
【００２９】
図２〜図６に示すように、ヘッドランプＡは、前方を照射する電球７や各種端子3 ,4等を収容配設する電球収容部2'を形成したランプ本体２と、同ランプ本体２をヒンジ部2hを介して前後傾斜角度調整自在に枢支するとともに、使用者の頭部に当接可能に形成し、頭部に係止するためのヘッドベルト24を取付けたベルトホルダー20とから構成している。
【００３０】
ランプ本体２は、前側部に形成した電球収容部2'と、後側に形成した電池収容部2dとを一体的に連設して構成しており、電球収容部2'は円筒形状に、電池収容部2dは箱形状に形成している。また、電球収容部2'の内方奥部に円筒状の端子収容部2aを形成しており、同端子収容部2aの上部には略円筒状のスイッチ保持部2bを形成している。
【００３１】
そして、図２及び図４に示すように、電球収容部2'の前側に形成した開口部2kの外周面に雌ネジ部2fを形成し、同外周面にレンズ体９を螺着している。9bはレンズ体９の内周面に形成した雄ネジ部である。
【００３２】
また、レンズ体９の前面にはレンズ面9aを形成するととに、同レンズ面9aの裏側に円錐状の反射鏡６を配設し、同反射鏡６の中央に設けた孔を通して電球７を後述する電球保持部1bに取付けている。８はパッキン用のゴムリングである。
【００３３】
一方、電池収容部2dは、後面開口部2cを開閉自在な電池カバー19で閉蓋している。
【００３４】
上記のように構成したランプ本体２は、電球収容部2'と電池収容部2dとの間に、両者を仕切る端子保持壁2eを形成しており、図２及び図３に示すように、同端子保持壁2eの左側に LOW端子３を、右側にHI端子４を配設している。すなわち、同一平面上に両端子3,4 を配設し、ランプ本体２の前後方向の厚みを小さくしている。
【００３５】
HI端子４は、金属製の板状体であり、端子保持壁2eに形成した端子保持部40と当接する平面部4aの一端部に、Ｕ字状の切換端子部4bを電球収容部2'側へ向けて突設するとともに、平面部4aの他端部に、電球端子部4cを斜設している。4dは、平面部4aに形成した取付け孔である。
【００３６】
また、 LOW端子３も、金属製の板状体であり、端子保持壁2eに形成した端子保持部40と当接する平面部3aの一端部に、Ｕ字状の切換端子部3bを電球収容部2'側へ向けて突設している。3dは、平面部4aに形成した取付け孔である。
【００３７】
両端子3,4 は、ダイオード５によって電気的に接続されている。34は、平面部3a,4a にダイオード５を固着するための半田である。
【００３８】
そして、両端子3,4 は、端子押さえ１によりランプ本体２の前方から覆われ、かつ、端子保持壁2eに押さえつけられるように保持されており、さらに、両端子3,4 及び端子押さえ１をビス10で着脱自在に取付けている。なお、本実施例では、ビス10を用いているが、端子押さえ１等が着脱自在に取付けられればよく、例えば、端子押さえ１の周面に爪部を形成し、端子押さえ１を電球収容部2'の周壁で着脱自在に挟持することもできる。
【００３９】
同端子押さえ１は、耐熱性・非導電性樹脂であるポリアセタール製であり、図７に示すように、略円板状に形成した端子保持部1aの中央部に円筒状の電球保持部1bを突設しており、電球保持部1bの内周壁面に電球７を保持するためのネジ山部1d,1d を形成するとともに、後述するマイナス端子16の電球電極部16c を挿入する電極挿入溝1eを形成している。
【００４０】
さらに、端子保持部1aの上部には切欠部1fを設け、前記切換端子部3b,4b と後述する操作スイッチＳとの電気的な接続を行う接続部を収容可能としている。そして、ランプ本体２の前方より、同接続部を視認可能としている。1cは、端子保持部1aに設けたビス取付け孔である。
【００４１】
このように、端子押さえ１が両端子3,4 をランプ本体２の前方から覆い、かつ、端子保持壁2eに押さえつけているため、 LOW端子３及びHI端子４の切換端子部3b,4b 以外の部分が端子収容部2a内において殆ど露出することがない。
【００４２】
また、 LOW端子３及びHI端子４の切換端子部3b,4b の弾性力が低下した場合や、ダイオード５が故障した場合に、ビス10を取り外し本体２から端子押さえ１を取り外すだけで両端子3,4 やダイオード５の交換ができる。
【００４３】
さらに、図４に示すように、端子押さえ１の電球保持部1bの先端により形成される第一の仮想垂直面S1を、前記LOW 端子３及びHI端子４の切換端子部3b,4b の突出端部により形成される第二の仮想垂直面S2よりも前方、すなわち、レンズ体９側に位置させている。
【００４４】
そのため、電球７を交換する際等に、ダイオード５や各端子3,4 に不用意に触れてしまうのを防止でき、安全性に優れるとともに、ダイオード５の静電破壊を防止できる。
【００４５】
また、電球７を交換する際に、ダイオード５や各端子3,4 にゴミ等が付着することがない。
【００４６】
また、図４に示すように、電球収容部2'を中途から前方に向けて漸次拡径した円筒状に形成し、同拡径始点部により形成される第三の仮想垂直面S3を、前記第二の仮想垂直面S2よりも前方に位置させている。
【００４７】
そのため、LOW 端子３及びHI端子４の切換端子部3b,4b が突出している部分周辺の空間が狭くなり、指等が挿入されにくくなり、電球７を交換する際等に、各端子3,4 等に不用意に触れてしまうのを、より確実に防止できる。
【００４８】
さらに、電球７を交換する際に指によって挟持される電球７の径方向の最大膨出部により形成される第四の仮想垂直面S4を、前記第三の仮想垂直面S3よりも前方に位置させている。
【００４９】
そのため、電球７周辺に指を挿入するための空間が確保でき、電球７を容易に交換することができる。
【００５０】
次に、ランプ本体２に設けた回路切換用の操作スイッチＳについて説明する。
【００５１】
操作スイッチＳは、電球収容部2'の端子収容部2aに形成したスイッチ保持部2bに、Ｏリング13を介してスイッチ軸12を回動自在に挿通しており、同スイッチ軸12の上端部に切換ツマミ11を固着している。
【００５２】
また、スイッチ軸12の下端部に断面が正方形の角柱状のスイッチ端子部12a をヘッドランプＡの中央部に向けて伸延形成し、同スイッチ端子部12a の隣合う二側面のみに端子面14a が形成されるようにスイッチ端子14を取付けている。そして、スイッチ軸12のスイッチ端子部12a を、 LOW端子３及びHI端子４の切換端子部3b,4b 、プラス端子15の切換端子部15c の三カ所に接触させ、電気的な接続部を形成している。
【００５３】
スイッチ端子部12a をヘッドランプＡの中央部に向けて伸延形成するとともに、前述したように、端子押さえ１に切欠部1fを設けているため、ランプ本体２前方よりスイッチ端子部12a と、 LOW端子３及びHI端子４の切換端子部3b,4b 、プラス端子15の切換端子部15c との電気的な接続部の状態を容易に確認できる。
【００５４】
また、スイッチ端子部12a を、 LOW端子３及びHI端子４の切換端子部3b,4b 、プラス端子15の切換端子部15c の三カ所で弾性保持しているため、操作スイッチＳの操作時にクリック感を出すことができる。
【００５５】
なお、本実施例では、操作スイッチＳとして回転式スイッチを用いているが、スライド式スイッチやプッシュ式スイッチを用いることもできる。
【００５６】
次に、電池収容部2dの構成について説明する。
【００５７】
電池収容部2dは、電池25,25とともに、予備の電球7'を収容可能としており、さらに、同電池収容部2d側に面した端子保持壁2eに、プラス端子15、マイナス端子16及び連結電極17を取付けている。そして、電池25の出し入れ口となる後面開口部2cにパッキン18を介して電池カバー19を着脱自在に取付けている。
【００５８】
上記プラス端子15は、端子保持壁2eと当接する平面部15a の中途にＵ字状の切換端子部15c を前方へ突設するとともに、同平面部15a の一端を後方へ折り返してプラス電極部15b を形成している。
【００５９】
また、マイナス端子16は、端子保持壁2eと当接する平面部16a の一端から電球電極部16c を前方へ突設するとともに、他端にはＵ字状のマイナス電極部16b を後方へ突設している。
【００６０】
さらに、連結端子17は、端子保持壁2eと当接する平面部17aに、下方へ伸延するプラス電極部17bと、上方へ伸延するＵ字状のマイナス電極部17cを連設している。なお、各端子15,16,17は、前述した端子3,4と同様な金属製の板状体であり、各平面部15a,16a,17aにカシメ孔15d,16d,17dを形成している。
【００６１】
そして、端子保持壁2eに電球収容部2'と電池収容部2dとを連絡する貫通孔2j,2j を形成し、同貫通孔2j,2j にプラス端子15の切換端子部15c 及びマイナス端子16の電球電極部16c をそれぞれ挿通している。
【００６２】
また、端子保持壁2eの電池収容部2d側の所定個所に複数の突起2gを形成し、各端子15,16,17のカシメ孔15d,16d,17d に各突起2gをそれぞれ挿通するとともに、突起2gの先端を潰して、端子保持壁2eに各端子15,16,17を固着している。
【００６３】
スイッチ端子部12a をヘッドランプＡの中央部に向けて伸延形成し、端子保持壁2eに形成した貫通孔2jの電球収容部2'側に、スイッチ端子部12a とプラス端子15の切換端子部15c との接続部を位置させているため、端子保持壁2eにプラス端子15を容易に取付けることができる。
【００６４】
なお、上記した各端子16,17 のＵ字状のマイナス電極部16b,17c の弾性力により、電池25,25 を挟持している。
【００６５】
次に、ランプ本体２とベルトホルダー20との接続部となるヒンジ部2hの構成について説明する。
【００６６】
図２及び図４に示すように、ヒンジ部2h,2h は、ランプ本体２の下部に連設したステー2h',2h' と、ヘッドホルダー20の前側部に連設したステー20a,20a と、各ステー2h',20a に設けた貫通孔2i,20bと、同貫通孔2i,20bに挿通するヒンジ軸21とから構成している。22はヒンジ軸21に対応するナット、23は座金である。
【００６７】
かかる構成により、ランプ本体２はベルトホルダー20に揺動自在に取付けられることになり、しかも、前後傾斜角度調整自在となっている。
【００６８】
また、ベルトホルダー20は、ヘッドベルト24の一端を連結するとともに、頭部と当接する面にクッション材26を貼り付けている。
【００６９】
以上説明してきたように、本発明に係るヘッドランプＡは、ランプ本体２の略中央部にスイッチ軸12及びヒンジ軸21を配設し、本体２の前方に比較的重量の軽いレンズ体９等を配設し、本体２の後方に比較的重量の重い電池25等を配設している（図４参照）。
【００７０】
そのため、頭部を前方に傾斜した状態で切換ツマミ11を操作しても、ランプ本体２が前方に傾斜してしまうのを防止できる。
【００７１】
また、ランプ本体２とベルトホルダー20との接続部となるヒンジ部2hと操作スイッチＳとの水平間距離を可及的に近接させている。
【００７２】
そのため、切換ツマミ11を操作する際に操作スイッチＳに鉛直下向きの力が作用しても、容易にランプ本体２が前方又は後方に回転してしまうことはなく、常に同じ場所を照射し続けるため、使い勝手が良好となる。本実施例では、回転式スイッチを用いているが、プッシュ式スイッチを用いた場合には、特に有効となる。
【００７３】
なお、本ヘッドランプＡでは、ランプ本体２の全ての開口にゴムリング８、Ｏリング13、パッキン18を設けて防水構造としており、雨中や湿度の高い場所であっても十分使用に耐えるようにしている。
【００７４】
次に、ヘッドランプＡの作動について説明する。
【００７５】
図８にヘッドランプＡの回路図を示しており、スイッチ端子14が LOW端子の切換端子部3bのみに接触し、プラス端子15の切換端子部15c は、 LOW端子３の切換端子部3b、HI端子４の切換端子部4bのいずれにも電気的に接続していないとすると電源が切られた状態であり、電球７は消灯している。
【００７６】
そして、切換ツマミ11を右回りに90度回転させると、スイッチ端子14が LOW端子３の切換端子部3b及びプラス端子15の切換端子部15c に接触し、切換端子部3bと切換端子部15c とが電気的に接続する。この場合には、電池25,25 と電球７との間にダイオード５が介在しており、電球７に印加される電圧がダイオード５により降下するため、電球７は通常よりも暗い状態で点灯している。
【００７７】
さらに、切換ツマミ11を右回りに90度回転させると、スイッチ端子14がプラス端子15の切換端子部15c 及びHI端子４の切換端子部4bに接触し、切換端子部4bと切換端子部15c とが電気的に接続する。この場合には、電池25,25 と電球７とが直結しており、電球７は通常の明るさで点灯している。
【００７８】
このようにして、ヘッドランプＡは、切換ツマミ11を回転させることにより、電球７の明るさを二段階に変えることができるようにしている。
【００７９】
そのため、ヘッドランプＡ使用時の周囲の明るさに応じてヘッドランプＡの明るさを調節できるとともに、電池25の消耗を抑制することができる。
【００８０】
なお、図６に示すように、切換ツマミ11の周面下側に突起状のストッパー11a を対向させて形成し、スイッチ保持部2bの周壁端部に段差33を形成し、スイッチ軸12が180 度しか回動しないように規制している。
【００８１】
図９〜図11に、本発明に係るヘッドランプＡの第二の実施例を示しており、以下にその構成について具体的に説明する。なお、前記第一の実施例と同様の機能を有するものは同符号を付している。
【００８２】
ヘッドランプＡは、前方を照射する電球７や各種端子3 ,4等を収容配設する電球収容部2'を形成したランプ本体２と、電池を収容するとともに、接続コード31によりランプ本体２と電気的に接続した電池ケース30と、ランプ本体２をヒンジ部2hを介して前後傾斜角度調整自在に枢支するとともに、使用者の頭部に当接可能に形成し、頭部に係止するためのヘッドベルト24を取付けたベルトホルダー20とから構成している。
【００８３】
ランプ本体２は、円筒状の電球収容部2'の内方奥部に円筒状の端子収容部2aを形成しており、同端子収容部2aの上部には略円筒状のスイッチ保持部2bを形成している。
【００８４】
そして、端子収容部2aの後端に端子保持壁2eを形成しており、図９及び図10に示すように、同端子保持壁2eの左側に LOW端子３を、右側にHI端子４を配設している。すなわち、同一平面上に両端子3,4 を配設し、ランプ本体２の前後方向の厚みを小さくしている。
【００８５】
HI端子４は、金属製の板状体であり、端子保持壁2eに形成した端子保持部40と当接する平面部4aの一端部に、Ｕ字状の切換端子部4bを電球収容部2'側へ向けて突設するとともに、平面部4aの他端部に、電球端子部4cを斜設している。4dは、平面部4aに形成した取付け孔である。
【００８６】
また、 LOW端子３も、金属製の板状体であり、端子保持壁2eに形成した端子保持部40と当接する平面部3aの一端部に、Ｕ字状の切換端子部3bを電球収容部2'側へ向けて突設している。3dは、平面部4aに形成した取付け孔である。
【００８７】
両端子3,4 は、ダイオード5,5 によって電気的に接続されている。
【００８８】
そして、両端子3,4 は、端子押さえ１によりランプ本体２の前方から覆われ、かつ、端子保持壁2eに押さえつけられるように保持されており、さらに、両端子3,4 及び端子押さえ１をビス10で着脱自在に取付けている。
【００８９】
同端子押さえ１は、耐熱性・非導電性樹脂であるポリアセタール製であり、図11に示すように、略円板状に形成した端子保持部1aの中央部に円筒状の電球保持部1bを突設しており、電球保持部1bの内周壁面に電球７を保持するためのネジ山部1d,1d を形成するとともに、後述するマイナス端子16の電球電極部16c を挿入する電極挿入溝1eを形成している。
【００９０】
さらに、端子保持部1aの上部には切欠部1fを設け、前記切換端子部3b,4b と後述する操作スイッチＳとの電気的な接続を行う接続部を収容可能としている。そして、ランプ本体２の前方より、同接続部を視認可能としている。1cは、端子保持部1aに設けたビス取付け孔である。
【００９１】
さらに、図10に示すように、端子押さえ１の電球保持部1bの先端により形成される第一の仮想垂直面S1を、前記LOW 端子３及びHI端子４の切換端子部3b,4b の突出端部により形成される第二の仮想垂直面S2よりも前方、すなわち、レンズ体９側に位置させている。
【００９２】
また、図10に示すように、電球収容部2'を中途から前方に向けて漸次拡径した円筒状に形成し、同拡径始点部により形成される第三の仮想垂直面S3を、前記第二の仮想垂直面S2よりも前方に位置させている。
【００９３】
さらに、電球７を交換する際に指によって挟持される電球７の径方向の最大膨出部により形成される第四の仮想垂直面S4を、前記第三の仮想垂直面S3よりも前方に位置させている。
【００９４】
次に、ランプ本体２に設けた回路切換用の操作スイッチＳについて説明する。
【００９５】
図９及び図10に示すように、操作スイッチＳは、前記実施例と同様の構成となっており、スイッチ軸12のスイッチ端子部12a をヘッドランプＡの中央部に向けて伸延形成して、 LOW端子３及びHI端子４の切換端子部3b,4b 、プラス端子15の切換端子部15c の三カ所に接触させ、電気的な接続部を形成している。
【００９６】
上記プラス端子15は、端子保持壁2eに形成したリブ41と当接する平面部15a の中途にＵ字状の切換端子部15c を前方へ突設するとともに、同平面部15a の一端部に接続孔15e を形成しており、同接続孔15e には接続コード31のプラス側を固着している。
【００９７】
また、マイナス端子16は、端子保持壁2eに形成したリブ（図示せず）と当接する平面部16a の一端から電球電極部16c を前方へ突設するとともに、同平面部16a の一端部に接続孔16e を形成しており、同接続孔16e には接続コード31のマイナス側を固着している。
【００９８】
なお、各端子15,16 は、前述した端子3,4 と同様な金属製の板状体であり、プラス端子15の平面部15a には位置決め孔15f を形成しており、マイナス端子16の平面部16a には位置決め孔16f を形成している。
【００９９】
そして、端子保持壁2eに突起2gを形成し、プラス端子15及びマイナス端子16の位置決め孔15f,16f に突起2gを挿通し、端子押さえ１に突設した端子挟持片1g,1g とリブ41,41 とでプラス端子15及びマイナス端子16を挟持している。
【０１００】
本実施例においては、ランプ本体２とベルトホルダー20との接続部となるヒンジ部2hを、前記第１の実施例と同様の構成としているが、ヒンジ部2hの直上方に操作スイッチＳを配設している。
【０１０１】
そのため、切換ツマミ11を操作する際に操作スイッチＳに鉛直下向きの力が作用しても、その力がヒンジ軸21上の力であるため、ランプ本体２に対して回転モーメントを与えるものではない。
【０１０２】
したがって、切換ツマミ11を操作してもランプ本体２が回転してしまうことはなく、常に同じ場所を照射し続けるため、使い勝手が良好となる。
【０１０３】
また、前記実施例と同様に、ヘッドランプＡは、切換ツマミ11を回転させることにより、電球７の明るさを二段階に変えることができるようになっており、ヘッドランプＡ使用時の周囲の明るさに応じてヘッドランプＡの明るさを調節できるとともに、電池の消耗を抑制することができる。
【０１０４】
なお、ヘッドランプＡは、電池ケース30の側部に形成した保持部32に収納できるようになっており、携帯性に優れている。
【０１０５】
【発明の効果】
本発明は、以上説明したような形態で実施され、以下に記載されるような効果を奏する。
【０１０６】
(1) 請求項１記載の本発明では、ランプ本体内部に、前方を照射する電球を収容配設する電球収容部と、同電球収容部の奥部に端子保持壁を形成した端子収容部とを設け、前記端子保持壁に、前記電球と電気的に接続する端子と、同端子を覆い、かつ、端子保持壁に同端子を押圧する板状の端子押さえとを着脱自在に取付けたため、端子板が端子押さえにより覆われて露出していないので、電球を交換する際に、指が端子に不用意に触れてしまうのを防止でき、安全性に優れるとともに、端子板にゴミ等が付着してしまうのを防止でき、接触不良等の不具合が生じることを防止できる。
【０１０７】
また、例えば端子交換が必要な場合においても、端子の取り外しが容易なのでメンテナンス性を向上させることができる。
【０１０８】
また、前記端子押さえに切欠部を形成するとともに、ランプ本体に回路切換用の操作スイッチを設け、同操作スイッチと前記端子との電気的な接続を行う接続部を、前記切欠部に位置させたため、接続部をランプ本体前方より視認可能となり、接続部の接触不良や操作スイッチの動作不良等を確認できる。
【０１０９】
(2)請求項２記載の本発明では、前記端子押さえに電球を保持する電球保持部を一体的に突設する一方、前記端子の一部を前記端子保持壁より前方に突出し、前記電球保持部の先端により形成される第一の仮想垂直面を、前記端子の突出端部により形成される第二の仮想垂直面よりも前方に位置させたため、例えば電球交換時等に、不用意に電極に指が接触するおそれがなくなり、安全性に優れたものとなる。
【０１１０】
(3)請求項３記載の本発明では、前記電球収容部を、中途から前方に向けて漸次拡径した円筒状に形成し、同拡径始点部により形成される第三の仮想垂直面を前記第二の仮想垂直面よりも前方に位置させたため、端子突出部周辺の空間が狭くなり、指等が挿入されにくくなり、電球交換時等に、端子に不用意に触れてしまうのを防止できる。
【０１１１】
また、ヘッドランプの外観を良好なものとすることができる。
【０１１２】
(4)請求項４記載の本発明では、前記電球の径方向の最大膨出部により形成される第四の仮想垂直面を前記第三の仮想垂直面よりも前方に位置させたため、電球周辺に指を挿入するための空間が確保でき、電球交換時に電球を容易に取り外せる。
【０１１３】
(5)請求項５記載の本発明では、電池を収容配設する電池収容部を形成したランプ本体と、同ランプ本体をヒンジ部を介して前後傾斜角度調整自在に枢支するとともに、使用者の頭部に当接可能に形成したベルトホルダーとから構成し、前記ヒンジ部よりも後方に、前記電池収容部を配置したため、ランプ本体において最も重たくなる部分となる電池収容部がヒンジ部の後方に位置することから、ランプ本体の安定性が増し、容易に前方下向きに傾斜することがなくなり、使い勝手が良好となる。
【０１１４】
(6)請求項６記載の本発明では、電池を収容配設する電池収容部を形成した回路切換用の操作スイッチを設けたランプ本体と、同ランプ本体をヒンジ部を介して前後傾斜角度調整自在に枢支するとともに、使用者の頭部に当接可能に形成したベルトホルダーとから構成し、同操作スイッチを前記ヒンジ部の直上方に配設したため、スイッチ操作時において力がランプ本体に加わった場合でも、ランプ本体が前方又は後方に回転せず、より操作性が向上する。
【図面の簡単な説明】
【図１】本発明に係るヘッドランプの使用状態を示す平面図。
【図２】第一実施例としてのヘッドランプの分解斜視図。
【図３】同正面図。
【図４】同断面図。
【図５】同断面図。
【図６】同背面図。
【図７】端子押さえを示す正面図。
【図８】本発明に係るヘッドランプの回路図。
【図９】第二実施例としてのヘッドランプの分解斜視図。
【図１０】同断面図。
【図１１】端子押さえを示す正面図。
【符号の説明】
Ａ  ヘッドランプ
１  端子押さえ
２  本体
2a  端子収容部
2c  開口
2d  電池収容部
2k  開口
３  LOW 端子
４  HI端子
７  電球
12  スイッチ軸
20  ベルトホルダー
21  ヒンジ軸
【図１】
0003908295.tif 000002
【図２】
0003908295.tif 000003
【図３】
0003908295.tif 000004
【図４】
0003908295.tif 000005
【図５】
0003908295.tif 000006
【図６】
0003908295.tif 000007
【図７】
0003908295.tif 000008
【図８】
0003908295.tif 000009
【図９】
0003908295.tif 000010
【図１０】
0003908295.tif 000011
【図１１】
0003908295.tif 000012